【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
遊離酸の形が下記式（Ｉ）で表されることを特徴とする、湿式成膜法により形成される異方性色素膜用色素。
【化１】
2007126628.tif 000001
・・・・（Ｉ）
［式（Ｉ）中、Ｒ11及びＲ22は、それぞれ独立に、水素原子、置換基を有していてもよいアルキル基、置換基を有していてもよいフェニル基または置換基を有していてもよいアシル基を表す。
Ａ11は、置換基を有していてもよいフェニル基、置換基を有していてもよいナフチル基または置換基を有していてもよい芳香族複素環基を表す。
Ｂ11は、置換基を有していてもよい２価の芳香族炭化水素基または２価の芳香族複素環基を表す。
ｍは０または１を表す。
ｎ’は１または２を表す。
ただし、ｎ’が１の場合、Ａ11はビニル基を有するフェニル基であることは無く、又、ｎ’が２の場合、Ａ11は、下記式（Ｉ−ａ）若しくは（Ｉ−ｂ）、または置換基を有していてもよい芳香族複素環基を表す。
【化２】
2007126628.tif 000002
（上記式中、Ｒ33は、水素原子、水酸基または置換基を有していてもよいアルコキシ基を表す。）
なお、ｎ’が２の場合、１分子中に含まれる複数のＢ11は、同一であっても異なっていてもよい。］
【請求項２】
遊離酸の形が下記式（１）で表されることを特徴とする、請求項１に記載の異方性色素膜用色素。
【化３】
2007126628.tif 000003
・・・・・（１）
［式中、
Ａは、置換基を有していてもよいフェニレン基または置換基を有していてもよいナフチレン基を表す。
Ｒ1は、水素原子、水酸基または置換基を有していてもよいアルコキシ基を表す。
Ｒ2およびＲ3は、それぞれ独立に、水素原子、置換基を有していてもよいアルキル基、または置換基を有していてもよいフェニル基または置換基を有していてもよいアシル基を表す。
ｍ１は、０または１を表す。
Ｘは、１または２を表す。
なお、Ｘが２の場合、１分子中に含まれる複数のＡは、同一であっても異なっていてもよい。］
【請求項３】
遊離酸の形が下記式（２）で表されることを特徴とする、請求項１に記載の異方性色素膜用色素。
【化４】
2007126628.tif 000004
・・・・・（２）
（式中、
Ｂは、置換基を有していてもよいフェニレン基または置換基を有していてもよいナフチレン基を表す。
Ｒ4は、水素原子、水酸基または置換基を有していてもよいアルコキシ基を表す。
Ｒ5およびＲ6は、水素原子、置換基を有していてもよいアルキル基、置換基を有していてもよいフェニル基または置換基を有していてもよいアシル基を表す。
ｍ２は、０または１を表す。
Ｙは、１または２を表す。
なお、Ｙが２の場合、１分子中に含まれる複数のＢは、同一であっても異なっていてもよい。）
【請求項４】
遊離酸の形が下記式（３）で表されることを特徴とする、請求項１に記載の異方性色素膜用色素。
【化５】
2007126628.tif 000005
・・・・・（３）
（式中、Ｄ1は、ビニル基以外の置換基を有していてもよいフェニル基、置換基を有していてもよいナフチル基または置換基を有していてもよい芳香族複素環基を表す。
Ａ1は、置換基を有していてもよい芳香族炭化水素基を表す。
Ｒ7およびＲ8は、それぞれ独立に、水素原子、置換基を有していてもよいアルキル基、置換基を有していてもよいフェニル基または置換基を有していてもよいアシル基を表す。
ｍ３は、０または１を表す。）
【請求項５】
上記式（３）において、Ｄ1が、ビニル基以外の置換基を有していてもよいフェニル基、置換基を有していてもよいナフチル基、置換基を有していてもよい芳香族複素環基であって、該置換基が極性を有する基であることを特徴とする、請求項４に記載の異方性色素膜用色素。
【請求項６】
上記式（３）において、Ｄ1が、ビニル基以外の置換基を有していてもよいフェニル基または置換基を有していてもよいナフチル基であることを特徴とする請求項４または５に記載の異方性色素膜用色素。
【請求項７】
上記式（３）において、Ａ1が、置換基を有していてもよいフェニレン基または置換基を有していてもよいナフチレン基であることを特徴とする請求項４〜６のいずれか一項に記載の異方性色素膜用色素。
【請求項８】
上記式（Ｉ）において、Ａ11が置換基を有していてもよい芳香族複素環基であることを特徴とする、請求項１に記載の異方性色素膜用色素。
【請求項９】
遊離酸の形が下記式（４）で表されることを特徴とする、請求項１に記載の異方性色素膜用色素。
【化６】
2007126628.tif 000006
・・・・・（４）
［式中、
Ａ2は、下記式（４−ａ）、（４−ｂ）または（４−ｃ）のいずれかの基を表す。該基は置換基を有していてもよい。
【化７】
2007126628.tif 000007
（式中、Ｒ34は、水素原子、置換基を有していてもよいアルキル基、置換基を有していてもよいフェニル基を表す。）
Ｂ2は、置換基を有していてもよい２価の芳香族炭化水素基またはヘテロ原子として窒素原子を含む２価の芳香族複素環基を表す。
Ｒ9およびＲ10は、それぞれ独立に、水素原子、置換基を有していてもよいアルキル基、置換基を有していてもよいフェニル基または置換基を有していてもよいアシル基を表す。
ｍ4は０または１を表し、ｎは１または２を表す。
なお、ｎが２の場合、１分子中に含まれる複数のＢ2は、同一であっても異なっていてもよい。］
【請求項１０】
上記式（４）中、Ａ2が下記式（４−ａ１）、（４−ｂ１）、（４−ｃ１）または（４−ｃ２）のいずれかの基であることを特徴とする、請求項９に記載の異方性色素膜用色素。
【化８】
2007126628.tif 000008
（該基は置換基を有していてもよい。また、上記式中、Ｒ34は、水素原子、置換基を有していてもよいアルキル基、置換基を有していてもよいフェニル基を表す。）
【請求項１１】
上記式（４）で表される色素が水溶性であることを特徴とする、請求項９または１０に記載の異方性色素膜用色素。
【請求項１２】
刺激純度が０％〜１２％の色素であることを特徴とする請求項１〜１１のいずれか一項に記載の異方性色素膜用色素。
【請求項１３】
請求項１〜１２のいずれか一項に記載の異方性色素膜用色素及び溶剤を含有することを特徴とする、異方性色素膜用組成物。
【請求項１４】
請求項１〜１２のいずれか一項に記載の異方性色素膜用色素を含有することを特徴とする、異方性色素膜。
【請求項１５】
異方性色素膜が、請求項１〜１２のいずれか一項に記載の異方性色素膜用色素を含有し、湿式成膜法により形成された異方性色素膜であることを特徴とする、請求項１４に記載の異方性色素膜。
【請求項１６】
請求項１〜１２のいずれか一項に記載の異方性色素膜用色素を含有し、湿式成膜法により形成された異方性色素膜であって、二色比が１５以上であることを特徴とする、請求項１５に記載の異方性色素膜。
【請求項１７】
遊離酸の形が下記式（５）で表される色素を含有する、湿式成膜法で形成される異方性色素膜であって、二色比が４０以上であることを特徴とする異方性色素膜。
【化９】
2007126628.tif 000009
・・・・・（５）
［式中、
Ａ12は、置換基を有していても芳香族炭化水素基または置換基を有していてもよい芳香族複素環基を表す。
Ｂ12は、置換基を有していてもよい２価の芳香族炭化水素基または置換基を有していてもよい２価の芳香族複素環基を表す。
Ｒ13及びＲ14は、それぞれ独立に、水素原子、置換基を有していてもよいアルキル基、置換基を有していてもよいフェニル基または置換基を有していてもよいアシル基を表す。
ｍ５は０または１を表す。ｎ１は１または２を表す。
なお、ｎ１が２の場合、１分子中に含まれる複数のＢ12は、同一であっても異なっていてもよい。］
【請求項１８】
請求項１４〜１７のいずれか一項に記載の異方性色素膜を用いることを特徴とする、偏光素子。
【請求項１９】
遊離酸の形が下記式（６）で表されることを特徴とするアゾ色素。
【化１０】
2007126628.tif 000010
・・・・・（６）
［式中、Ａ3は、下記式（６−ａ）、（６−ｂ）または（６−ｃ）のいずれかの基を表す。該基は置換基を有していてもよい。
【化１１】
2007126628.tif 000011
（式中、Ｒ35は、水素原子、置換基を有していてもよいアルキル基、置換基を有していてもよいフェニル基を表す。）
Ｂ3は、置換基を有していてもよい２価の芳香族炭化水素基またはヘテロ原子として窒素原子を含む２価の芳香族複素環基を表す。
Ｒ15およびＲ16は、それぞれ独立に、水素原子、置換基を有していてもよいアルキル基、置換基を有していてもよいフェニル基または置換基を有していてもよいアシル基を表す。
ｍ６は０または１を表し、ｎ２は１または２を表す。
なお、ｎ２が２の場合、１分子中に含まれる複数のＢ3は、同一であっても異なっていてもよい。］
【請求項２０】
上記式（６）中、Ａ3が下記式（６−ａ１）、（６−ｂ１）、（６−ｃ１）または（６−ｃ２）のいずれかの基であることを特徴とする、請求項１９に記載のアゾ色素。
【化１２】
2007126628.tif 000012
（該基は、置換基を有していてもよい。また、式中、Ｒ35は、水素原子、置換基を有していてもよいアルキル基、置換基を有していてもよいフェニル基を表す。）
【請求項２１】
前記式（６）で表されるアゾ色素が水溶性であることを特徴とする、請求項１９または２０に記載のアゾ色素。